(57)【要約】【課題】  電子体温計と接続可能な携帯端末において、測定時のユーザの興趣性を向上させる。【解決手段】  予測式の電子体温計と通信可能に接続される携帯端末であって、リアルタイム表示画面８１０を表示する手段と、リアルタイム表示画面８１０が表示され、前記電子体温計との通信接続が確立した場合に、該電子体温計にて取得され、該電子体温計より送信される実測値のデータをリアルタイムに受信する手段と、前記受信した実測値のデータを、リアルタイム表示画面８２０にプロットする手段と、前記電子体温計において前記実測値に基づいて算出され、該電子体温計より送信される前記被検者の体温の予測値のデータをリアルタイムに受信する手段と、前記受信した予測値のデータを、リアルタイム表示画面８３０にプロットする手段とを備える。【選択図】  図１
2011067292.tif 000002
【特許請求の範囲】
【請求項１】
温度データの実測値を取得し被検者の体温の予測値を算出する電子体温計と、通信可能に接続される携帯端末であって、
前記電子体温計より送信されたデータを、該データの受信タイミングと対応付けてプロット可能な表示画面を表示する第１の表示制御手段と、
前記第１の表示制御手段により前記表示画面が表示された場合であって、前記電子体温計との通信接続が確立した場合に、該電子体温計にて所定間隔ごとに取得され、逐次、該電子体温計より送信される実測値のデータについて、受信を行う第１の受信手段と、
前記第１の受信手段において受信した前記実測値のデータを、該データの受信タイミングと対応付けて、順次、前記表示画面にプロットする第２の表示制御手段と、
前記第１の表示制御手段により前記表示画面が表示された場合であって、前記電子体温計との通信接続が確立した場合に、前記電子体温計において前記実測値に基づいて所定間隔ごとに算出され、逐次、該電子体温計より送信される前記被検者の体温の予測値のデータについて、受信を行う第２の受信手段と、
前記第２の受信手段において受信した前記予測値のデータを、該データの受信タイミングと対応付けて、順次、前記表示画面にプロットする第３の表示制御手段と
を備えることを特徴とする携帯端末。
【請求項２】
前記電子体温計において温度計測が終了したことを示すコマンドを該電子体温計より受信した場合であって、該コマンドに、正常終了を示す情報が含まれ、かつ測定結果としての予測値が含まれていた場合には、該測定結果としての予測値を前記表示画面に表示し、該コマンドに、エラー終了を示す情報が含まれていた場合には、前記表示画面にエラー表示を行う第４の表示制御手段を備えることを特徴とする請求項１に記載の携帯端末。
【請求項３】
前記コマンドに正常終了を示す情報が含まれていた場合に、前記被検者の体調に関する情報を入力する入力画面を表示する第５の表示制御手段と、
前記入力画面において入力された前記被検者の体調に関する情報と前記測定結果としての予測値とを、日付情報と対応付けて格納する格納手段と
を更に備えることを特徴とする請求項２に記載の携帯端末。
【請求項４】
前記電子体温計において温度計測が終了したことを示すコマンドを該電子体温計より受信した場合に、該電子体温計との通信接続を切断することを特徴とする請求項１に記載の携帯端末。
【請求項５】
温度データの実測値を取得する電子体温計と、通信可能に接続される携帯端末であって、
前記電子体温計より送信されたデータを、該データの受信タイミングと対応付けてプロット可能な表示画面を表示する第１の表示制御手段と、
前記第１の表示制御手段により前記表示画面が表示された場合であって、前記電子体温計との通信接続が確立した場合に、該電子体温計にて所定間隔ごとに取得され、逐次、該電子体温計より送信される実測値のデータについて、受信を行う第１の受信手段と、
前記第１の受信手段において受信した前記実測値のデータを、該データの受信タイミングと対応付けて、順次、前記表示画面にプロットする第２の表示制御手段と、
前記第１の受信手段において受信された前記実測値に基づいて、所定間隔ごとに、前記被検者の体温の予測値を算出する算出手段と、
前記算出手段において算出された前記予測値のデータを、逐次、該データの算出タイミングと対応付けて前記表示画面にプロットする第３の表示制御手段と、
を備えることを特徴とする携帯端末。
【請求項６】
前記算出手段において、測定結果としての予測値が算出されたか否かを判断し、測定結果としての予測値が算出されたと判断した場合には、該予測値を前記表示画面に表示し、測定結果としての予測値が算出されなかったと判断した場合には、前記表示画面にエラー表示を行う第４の表示制御手段を備えることを特徴とする請求項５に記載の携帯端末。
【請求項７】
前記測定結果としての予測値が算出されたと判断した場合に、前記被検者の体調に関する情報を入力する入力画面を表示する第５の表示制御手段と
前記入力画面において入力された前記被検者の体調に関する情報と前記測定結果としての予測値とを、日付情報と対応付けて格納する格納手段と
を更に備えることを特徴する請求項６に記載の携帯端末。
【請求項８】
前記電子体温計において温度計測が終了したことを示すコマンドを該電子体温計より受信した場合に、該電子体温計との通信接続を切断することを特徴とする請求項５に記載の携帯端末。
【請求項９】
温度データの実測値を取得し被検者の体温の予測値を算出する電子体温計と、通信可能に接続される携帯端末の制御方法であって、
前記電子体温計より送信されたデータを、該データの受信タイミングと対応付けてプロット可能な表示画面を表示する第１の表示制御工程と、
前記第１の表示制御工程において前記表示画面が表示された場合であって、前記電子体温計との通信接続が確立した場合に、該電子体温計にて所定間隔ごとに取得され、逐次、該電子体温計より送信される実測値のデータについて、受信を行う第１の受信工程と、
前記第１の受信工程において受信した前記実測値のデータを、該データの受信タイミングと対応付けて、順次、前記表示画面にプロットする第２の表示制御工程と、
前記第１の表示制御工程において前記表示画面が表示された場合であって、前記電子体温計との通信接続が確立した場合に、前記電子体温計において前記実測値に基づいて所定間隔ごとに算出され、逐次、該電子体温計より送信される前記被検者の体温の予測値のデータについて、受信を行う第２の受信工程と、
前記第２の受信工程において受信した前記予測値のデータを、該データの受信タイミングと対応付けて前記表示画面に表示する第３の表示制御工程と
を備えることを特徴とする携帯端末の制御方法。
【請求項１０】
温度データの実測値を取得する電子体温計と、通信可能に接続される携帯端末の制御方法であって、
前記電子体温計より送信されたデータを、該データの受信タイミングと対応付けてプロット可能な表示画面を表示する第１の表示制御工程と、
前記第１の表示制御工程において前記表示画面が表示された場合であって、前記電子体温計との通信接続が確立した場合に、該電子体温計にて所定間隔ごとに取得され、逐次、該電子体温計より送信される実測値のデータについて、受信を行う第１の受信工程と、
前記第１の受信工程において受信した前記実測値のデータを、該データの受信タイミングと対応付けて、順次、前記表示画面にプロットする第２の表示制御工程と、
前記第１の受信工程において受信された前記実測値に基づいて、所定間隔ごとに、前記被検者の体温の予測値を算出する算出工程と、
前記算出工程において算出された前記予測値のデータを、逐次、該データの算出タイミングと対応付けて前記表示画面にプロットする第３の表示制御工程と
を備えることを特徴とする携帯端末の制御方法。
【請求項１１】
請求項９または１０に記載の制御方法の各工程をコンピュータによって実行させるためのプログラム。
【請求項１２】
請求項９または１０に記載の制御方法の各工程をコンピュータによって実行させるためのプログラムを格納したコンピュータ読取可能な記録媒体。
【発明の詳細な説明】
【技術分野】
【０００１】
本発明は、家庭用医療機器を用いて測定された体温データ等の測定データを管理可能な携帯端末及びその制御方法に関するものである。
【背景技術】
【０００２】
近年、携帯電話等の携帯端末の高性能化に伴い、携帯端末における多機能化が推し進められている。その一つとして、体温計や血圧計、血糖値計等の家庭用医療機器と組み合わせ、当該家庭用医療機器において測定された測定データを有線または無線通信を介して受信し、携帯端末上での測定データの管理を可能にする管理アプリケーションの開発が挙げられる。
【０００３】
当該アプリケーションによれば、これまで個別に管理されていた各家庭用医療機器の測定データを集約して一元的化できるうえ、異なる種類の測定データ（例えば、体温測定データと血圧測定データ）を組み合わせ、多面的な解析が可能になるといった利点がある。
【０００４】
更に、携帯端末の場合、通信回線を通じてＷｅｂサーバ等にアクセス可能であるため、測定データについて専門家による診断を受けたり、最新のアプリケーションをダウンロードするといったことも可能である。
【０００５】
このように、携帯端末と家庭用医療機器との組み合わせには様々な利点があり、今後、ますます発展していくものと考えられる。
【先行技術文献】
【特許文献】
【０００６】
【特許文献１】特開２００３−３１０５５９号公報
【発明の概要】
【発明が解決しようとする課題】
【０００７】
ここで、従来の管理アプリケーションでは、体温計等の家庭用医療機器にて測定された測定結果を、測定完了後に受信するのが一般的であった。つまり、携帯端末との接続が可能となっても、家庭用医療機器による測定自体はこれまでの家庭用医療機器と何ら変わりがなく、ユーザにとっては、測定が完了（特に体温計による体温測定が完了）するまでの一定時間（例えば、体温計の場合は、おおよそ３０秒間）が退屈であることに変わりがなかった。
【０００８】
一方で、測定開始から測定完了までの一定時間、接続された携帯端末上の液晶表示部を利用して、例えば体温計の測定状況等をユーザに逐次報知するといった何らかの表示を行うことができれば、ユーザは、当該測定状況等を見ながら測定完了を待つことが可能となり、体温測定自体の興趣性が向上するといったメリットが生じるものと考えられる。
【０００９】
本発明は上記課題に鑑みてなされたものであり、体温計と接続可能な携帯端末において、測定時のユーザの興趣性を安価な方法により向上させることを目的とする。
【課題を解決するための手段】
【００１０】
上記の目的を達成するために本発明に係る携帯端末は以下のような構成を備える。即ち、
温度データの実測値を取得し被検者の体温の予測値を算出する電子体温計と、通信可能に接続される携帯端末であって、
前記電子体温計より送信されたデータを、該データの受信タイミングと対応付けてプロット可能な表示画面を表示する第１の表示制御手段と、
前記第１の表示制御手段により前記表示画面が表示された場合であって、前記電子体温計との通信接続が確立した場合に、該電子体温計にて所定間隔ごとに取得され、逐次、該電子体温計より送信される実測値のデータについて、受信を開始する第１の受信手段と、
前記第１の受信手段において受信した前記実測値のデータを、該データの受信タイミングと対応付けて、順次、前記表示画面にプロットする第２の表示制御手段と、
前記第１の表示制御手段により前記表示画面が表示された場合であって、前記電子体温計との通信接続が確立した場合に、前記電子体温計において前記実測値に基づいて所定間隔ごとに算出され、逐次、該電子体温計より送信される前記被検者の体温の予測値のデータについて、受信を行う第２の受信手段と、
前記第２の受信手段において受信した前記予測値のデータを、該データの受信タイミングと対応付けて、順次、前記表示画面にプロットする第３の表示制御手段とを備えることを特徴とする。
【発明の効果】
【００１１】
本発明によれば、体温計と接続可能な携帯端末において、測定時のユーザの興趣性を安価な方法により向上させることが可能となる。
【００１２】
より具体的には、体温計に複雑な表示機能を持たせると大きなコストアップにつながる恐れがあるところ、本発明では、高機能女性体温計としての複雑な表示機能を携帯端末側に持たせる構成としているため、体温計の表示機能を簡易にすることができるようになり、また、体温計を測定部と接続ケーブルのみからなる構成とすれば、表示機能自体をなくすことも可能となることから、測定時のユーザの興趣性の向上を、安価な方法により実現できる。
【図面の簡単な説明】
【００１３】
【図１】本発明の第１の実施形態に係る携帯端末１００と電子体温計１１０とを備える体温データ測定／管理システムの構成を示す図である。
【図２】本発明の第１の実施形態に係る携帯端末の構成を示す図である。
【図３】電子体温計１１０の構成を示す図である。
【図４】電子体温計１１０におけるモード遷移を示す図である。
【図５】本発明の第１の実施形態に係る携帯端末１００におけるモード遷移を示す図である。
【図６】本発明の第１の実施形態に係る携帯端末１００において表示される表示画面の一例を示す図である。
【図７】本発明の第１の実施形態に係る携帯端末１００を備える体温データ測定／管理システムにおけるリアルタイム測定処理の流れを示すフローチャートである。
【図８】本発明の第１の実施形態に係る携帯端末１００において表示される表示画面の一例を示す図である。
【図９】本発明の第２の実施形態に係る携帯端末１００を備える体温データ測定／管理システムにおけるリアルタイム測定処理の流れを示すフローチャートである。
【発明を実施するための形態】
【００１４】
以下、必要に応じて添付図面を参照しながら本発明の各実施形態を詳細に説明するが、本発明は以下の実施形態に限定されるものではなく、適宜変更可能であるものとする。
【００１５】
［第１の実施形態］
＜１．体温データ測定／管理システムの構成＞
図１は、本発明の第１の実施形態に係る携帯端末１００と、電子体温計１１０とを備える体温データ測定／管理システムの一構成例を示す図である。図１において、１００は電子体温計１１０にて測定された体温データ（実測値、予測値）を受信するとともに、当該受信した体温データを管理する携帯電話等の携帯端末である。ここで、携帯端末には、携帯電話のほか、携帯ゲーム等も含まれるが、以下では、携帯電話を例として説明する。
【００１６】
携帯端末１００には、電子体温計１１０における測定中の体温データを受信し、液晶表示部にリアルタイムに表示したり、被検者の体調に関する各種情報（例えば、生理による出血があった日を示す情報、生理痛があった日を示す情報、性交の有無を示す情報、薬飲の有無を示す情報、発熱の有無を示す情報、おりものの有無を示す情報等）の入力を、テンキーを介して受け付け、測定結果としての体温データと対応付けて記憶させたり、過去の体温データをトレンドグラフとして表示させたりするためのアプリケーションプログラム（体温データ管理アプリケーション）が後述のコンピュータ読取可能な記憶装置（記憶媒体）にインストールされているものとする。
【００１７】
また、１１０は、被検者の体温を測定し、測定中の体温データをリアルタイムに携帯端末１００に送信可能な電子体温計である。電子体温計１１０において、１１１は測定結果としての体温データを表示する表示部である。１１２はエンドキャップであり、内蔵された温度計測部（詳細は後述）に対して被検者の体温が伝導しやすいように、ステンレスなどの金属により被覆されている。１１３はモード切り替えスイッチであり、携帯端末１００と接続し、体温データをリアルタイムに携帯端末１００に送信するリアルタイム表示モードと、携帯端末１００とは接続せず、電子体温計１１０単独で使用する場合の通常測定モードとを切り替える場合に用いられる。
【００１８】
１２０は、携帯端末１００と電子体温計１１０とを通信可能に接続するためのケーブルである。
【００１９】
なお、図１に示す体温データ測定／管理システムでは、携帯端末１００と電子体温計１１０とを有線により接続する構成としているが、本発明はこれに限定されず、携帯端末１００と電子体温計１１０との間は、無線により接続してもよい。
【００２０】
＜２．携帯端末１００の構成＞
次に携帯端末１００の構成について説明する。図２は、携帯端末１００の構成を示すブロック図である。図２において、２０１は中央演算処理装置により実行される携帯端末全体の制御プログラムや各種データを記憶する制御メモリ（ＲＯＭ）、２０２はマイクロコンピュータを含む中央演算処理装置（ＣＰＵ）、２０３はメモリ（ＲＡＭ）、２０４はコンピュータ読取可能な記憶装置（記録媒体）である。
【００２１】
また、２０５はユーザの指示を入力するための入力装置（図１に示すテンキー等に対応する）、２０６は表示装置（図１に示す液晶表示部に対応する）、２０７は電子体温計１１０との間で体温データの送受信を行うためのインタフェース装置である。２０８は通信回線と接続するための通信装置である。更に、２０９はバスである。
【００２２】
本実施形態に係る携帯端末１００の場合、電子体温計１１０より体温データをリアルタイムに受信し表示したり、測定結果としての体温データを管理するための体温データ管理アプリケーション２１１は、携帯端末１００が携帯電話の場合には、例えば、ｉモードによりＷｅｂサーバからダウンロードして記憶装置２０４に実行可能に格納されているものとする。そして、中央演算処理装置２０２の制御のもと、バス２０９を介して適宜メモリ２０３に取り込まれ、中央演算処理装置２０２によって処理されるものとする。
【００２３】
また、電子体温計１１０より受信した体温データは、一時的にメモリ２０３に保持された後、携帯端末１００にて入力を受け付けた被検者の体調に関する各種情報２１２とともに、日付情報と対応付けて記憶装置２０４に格納されるものとする。
【００２４】
＜３．電子体温計１１０の構成＞
図３は本実施形態にかかる携帯端末１００に体温データを送信する電子体温計１１０の機能構成を示す内部ブロック図である。
【００２５】
電子体温計１１０は、検出した温度を発振信号として出力する温度計測部３１０と、温度計測部３１０より出力された信号に基づいて各種処理を行い、被検者の体温データを算出すると共に電子体温計１１０全体の動作を制御する演算制御部３２０と、算出された被検者の体温データを表示する表示部３３０（図１の表示部１１１に対応する）と、体温データを携帯端末１００に送信するインタフェース部３４０と、ブザー３５０と、モード切り替えスイッチ３７０（図１のモード切り替えスイッチ１１３に対応する）と、電源部３６０とを備える。
【００２６】
温度計測部３１０は、サーミスタ、コンデンサ、測温用ＣＲ発振回路等から構成されており、サーミスタにより検出された温度を発振信号として出力する。出力された発振信号はカウンタ３２２においてカウントされることで、デジタル量として出力される。なお、温度計測部３１０の構成は一例であって、これに限定されるものではない。
【００２７】
演算制御部３２０は、温度計測部３１０より出力される発振信号をカウントするカウンタ３２２を備える。
【００２８】
また、体温測定に必要なパラメータを格納したＥＥＰＲＯＭ３２５と、カウンタ３２２によるカウント値に基づいて体温データを算出するとともに、算出された体温データの時間変化に基づいて、被検者の体温データ（予測値）を算出するプログラムを格納したＲＯＭ３２４と、算出された体温データを時系列で記憶するためのＲＡＭ３２６と、ＲＯＭ３２４に格納されたプログラムに従った演算やインタフェース部３４０を介しての体温データの送信を行う演算処理部３２３とを備える。
【００２９】
更に、演算制御部３２０は演算処理部３２３において算出された体温データを測定結果として表示する表示部３３０を制御するための表示制御部３２７を備える。
【００３０】
更に、演算制御部３２０は、上記カウンタ３２２、表示制御部３２７、演算処理部３２３、温度計測部３１０を制御する制御回路３２１を備える。
【００３１】
＜４．電子体温計１１０におけるモード＞
次に電子体温計１１０におけるモード遷移について説明する。上述したように、電子体温計１１０はモード切り替えスイッチ１１３を備えており、当該モード切り替えスイッチ１１３により動作モードが切り替わるように構成されている。
【００３２】
図４に示すように、電子体温計１１０の動作モードには、通常測定モードとリアルタイム表示モードとがある。通常測定モードとは、従来の電子体温計と同様の動作を行うモードであり、モード切り替えスイッチ１１３を通常測定モード側に切り替えることで、電子体温計１１０は通常測定モードに遷移する。
【００３３】
通常測定モード中は、電源スイッチがＯＮされることで体温測定を開始し、予測値の算出が完了すると、測定結果として当該予測値が表示部１１１に表示される。
【００３４】
一方、リアルタイム表示モードとは、測定中の体温データ（実測値と予測値）をリアルタイムに携帯端末１００に送信し、測定中の体温データの変遷を携帯端末１００上に表示させるモードである。モード切り替えスイッチ１１３をリアルタイム表示モード側に切り替えることで、電子体温計１１０はリアルタイム表示モードに遷移する。
【００３５】
なお、モード切り替えスイッチ１１３は、必ずしも電子体温計１１０の外部に設ける必要はなく、携帯端末１００に設けてもよいし、ケーブル１２０の端末が携帯端末１００に接続されたことを条件に自動的にリアルタイム表示モードになるようにし、接続されていないことを条件に自動的に通常測定モードになるようにしてもよい。
【００３６】
リアルタイム表示モード中は、測定中の体温データ（実測値と予測値）がリアルタイムに携帯端末１００に送信され、測定されている体温値が携帯端末１００の表示装置２０６に表示され、予測値の算出が完了し、測定結果としての体温データの送信が終了すると、携帯端末１００との通信接続が自動的に切断される。なお、リアルタイム表示モード中は、携帯端末１００が携帯電話の場合には、外部からの受信を中断させ、体温測定を優先させるようにすることが好ましい。
【００３７】
＜５．携帯端末１００におけるモード＞
次に携帯端末１００におけるモード遷移について説明する。図５は、携帯端末１００におけるモードの遷移を説明するための図である。
【００３８】
図５に示すように、携帯端末１００には、リアルタイム表示モードと、トレンドグラフ表示モードと、生理日・排卵日予測モードと、体温値・メモ入力モードとがある。
【００３９】
リアルタイム表示モードへは、体温データ管理アプリケーション２１１を起動させた際の起動画面において、リアルタイム表示モードへの移行を指示する選択部が選択されることにより移行される。リアルタイム表示モードでは、電子体温計１１０にて測定中の体温データ（実測値と予測値）をリアルタイムに受信し、測定中の体温データの変遷を表示装置２０６上に表示させることができる。
【００４０】
体温値・メモ入力モードへは、リアルタイム表示モードにおける体温データのリアルタイム表示が完了し、電子体温計１１０より温度計測完了コマンドが送信された場合に移行される。体温値・メモ入力モードでは、測定した体温データを格納するにあたり、測定時の被検者の体調に関する各種情報（例えば、生理による出血があった日を示す情報、生理痛があった日を示す情報、性交の有無を示す情報、薬飲の有無を示す情報、発熱の有無を示す情報、おりものの有無を示す情報等）の入力を、ユーザより受け付ける。そして、入力を受け付けた各種情報を、体温データ及び日付情報と対応付けて記憶装置２０４に格納する。なお、本実施形態に係る電子体温計１１０では、測定時の被検者の体調に関する各種情報の入力が完了すると、リアルタイム表示モードに戻る。
【００４１】
トレンドグラフ表示モードへは、体温データ管理アプリケーション２１１を起動させた際の起動画面において、トレンドグラフ表示モードへの移行を指示する選択部が選択されることにより移行される。トレンドグラフ表示モードでは、記憶装置２０４に格納されている体温データ及び各種情報２１２を読み出し、トレンドグラフとして表示させることができる。
【００４２】
生理日・排卵日予測モードへは、体温データ管理アプリケーションを起動させた際の起動画面において、生理日・排卵日予測モードへの移行を指示する選択部が選択されることにより移行される。生理日・排卵日予測モードでは、記憶装置２０４に格納されている体温データ及び各種情報２１２に基づいて、次回の生理日・排卵日を予測し、表示させることができる。
【００４３】
＜６．携帯端末１００における表示画面＞
次に携帯端末１００における表示画面について説明する。図６は、体温データ管理アプリケーション２１１における表示画面の一例を示す図である。
【００４４】
図６（Ａ）は、体温データ管理アプリケーション２１１を起動させた場合に表示装置２０６上に表示される表示画面（起動画面）６００の一例を示す図である。図６（Ａ）に示すように、起動画面６００には、リアルタイム表示モードへの移行を指示するための選択部６０１と、トレンドグラフ表示モードへの移行を指示するための選択部６０２と、生理日・排卵日予測モードへの移行を指示するための選択部６０３と、体温値・メモ入力モードへの移行を指示するための選択部６０４とが表示される。ユーザは、起動画面６００上に表示された複数の選択部６０１〜６０４のいずれかに、カーソルを合わせて、入力装置２０５をクリックして選択入力することで、所望のモードへの移行を指示することができる。
【００４５】
図６（Ｂ−１）は、起動画面６００において、リアルタイム表示モードへの移行を指示するための選択部６０１が選択された場合に表示されるリアルタイム表示画面６１０の一例を示す図である。図６（Ｂ−１）に示すように、リアルタイム表示画面６１０は、体温測定開始からの経過時間が記された横軸と、体温値が記された縦軸とにより構成されており、電子体温計１１０より送信されたデータを、該データの受信タイミングと対応付けてプロット可能となっている。
【００４６】
図６（Ｂ−２）は、起動画面６００において、トレンドグラフ表示モードへの移行を指示するための選択部６０２が選択された場合に表示されるトレンドグラフ表示画面６２０の一例を示す図である。図６（Ｂ−２）に示すように、トレンドグラフ表示画面６２０は、日付が記された横軸と、体温値が記された縦軸とにより構成されており、記憶装置２０４に日付情報と対応付けて格納されている体温データ及び各種情報２１２を読み出し、トレンドグラフ表示画面６２０上にプロットすることで生成された、トレンドグラフが表示される。
【００４７】
図６（Ｂ−３）は、起動画面６００において、生理日・排卵日予測モードへの移行を指示するための選択部６０３が選択された場合に表示される生理日・排卵日予測画面６３０の一例を示す図である。図６（Ｂ−３）に示すように、生理日・排卵日予測画面６３０には所定の月のカレンダが表示され、当該カレンダ上に、予測された生理日・排卵日が所定のマークにより明示される。
【００４８】
＜７．体温データ測定／管理システムにおけるリアルタイム測定処理の流れ＞
次に、体温データ測定／管理システムにおけるリアルタイム測定処理の流れについて図７及び図８を用いて説明する。図７は、体温データ測定／管理システムにおけるリアルタイム測定処理の流れを示すフローチャートである。また、図８は、携帯端末１００がリアルタイム表示モードまたは体温値・メモ入力モードに移行した場合の表示画面の一例を示している。以下、図８を参照しながら図７のフローチャートに沿ってリアルタイム測定処理について説明する。
【００４９】
なお、リアルタイム測定処理を実行するにあたっては、ユーザは以下の操作を行っておくものとする。
１）携帯端末１００と電子体温計１１０とをケーブル１２０により接続する。
２）携帯端末１００において体温データ管理アプリケーション２１１を起動させて図６（Ａ）の画面を表示させた後、リアルタイム表示モードへの移行を指示する選択部６０１にカーソルを合わせて、入力装置２０５をクリックして選択入力することで、携帯端末１００をリアルタイム表示モードへ移行させる。
３）電子体温計１１０の電源をＯＮにするとともに、モード切り替えスイッチ１１３を操作することで、電子体温計１１０をリアルタイム表示モードへ移行させる。
【００５０】
上記１）〜３）の操作をユーザが実行したことを条件に、携帯端末１００ではリアルタイム表示画面（図８のリアルタイム表示画面８１０参照）が表示されるとともに（ステップＳ７０１）、携帯端末１００と電子体温計１１０との間の通信接続が確立する（ステップＳ７４１）。
【００５１】
ステップＳ７４１において、携帯端末１００と電子体温計１１０との通信接続が確立すると、ステップＳ７４２では、電子体温計１１０が自身の識別情報を携帯端末１００に送信する。これにより、携帯端末１００では、通信接続が確立した相手先の種類及び当該相手先が有する機能を把握することができる。
【００５２】
ステップＳ７４２において識別情報の送信が完了すると、電子体温計１１０では初期化処理が行われ、温度計測部３１０による温度値の検出が開始される。温度計測部３１０では、所定間隔ごと、例えば、０．５秒おきに、温度値を検出する。
【００５３】
温度値の検出が開始されると、ステップＳ７２１からステップＳ７２２に進む。ステップＳ７２２では、例えば、前回温度値（つまり０．５秒前の温度値）からの上昇が所定の値（例えば１℃）以上となる温度値を検出した時点を、予測式の基準点（ｔ＝０）と設定し、ＲＡＭ３２６に特定タイミングと当該実測値のデータ（時系列データ）とを記憶する処理を開始する。これにより、温度計測が開始されたこととなる。このように、本実施形態に係る電子体温計１１０では、急激な温度上昇を検出することにより、被検者の所定の測定部位に電子体温計１１０が装着されたものとみなす。
【００５４】
ステップＳ７２２において温度計測が開始されると、ステップＳ７２３では、温度計測により得られた実測値のデータを、逐次、携帯端末１００に送信する。
【００５５】
ステップＳ７０２では、携帯端末１００が、電子体温計１１０より送信された実測値のデータを受信し、当該受信タイミングに応じてリアルタイム表示画面に順次プロットしていく。図８のリアルタイム表示画面８２０は、実測値が順次プロットされていく様子を示している（８２１参照）。なお、８２２は、温度計測が開始されてからの経過時間に合わせて移動するマークである。
【００５６】
ステップＳ７２４では、温度計測中に実測値の低下が観測されたか否かを判断する。所定の低下が観測される場合は、ステップＳ７３３に進み、所定の低下が観測されない場合には、ステップＳ７２５に進む。
【００５７】
ステップＳ７３３では、温度計測された実測値のデータについて補正処理を行う。補正処理が正常に行われた場合には、ステップＳ７２２に戻る。一方、補正処理が正常に行われなかった場合には、エラー終了してステップＳ７３１に進む。
【００５８】
一方、ステップＳ７２５では、ステップＳ７２２で記憶された実測値のデータを用いて、周知の予測式の体温測定方法を用いて、所定間隔ごとに予測値を算出する（例えば、０．５秒間隔で算出する）。
【００５９】
ステップＳ７２６では、基準点（ｔ＝０）から所定時間（例えば１６秒）だけ経過した後、例えば、ステップＳ７２５で算出した、複数の群に対応するそれぞれの予測値の変化に基づいて群分け判定を行う。
【００６０】
ステップＳ７２７では、ステップＳ７２６によって決定された群以外の演算を停止し、判定された群における予測値を引き続き所定の時間算出する。
ステップＳ７２７における予測値の算出が開始されると、ステップＳ７２８では、算出された予測値のデータを、逐次、携帯端末１００に送信する。
【００６１】
ステップＳ７０３では、携帯端末１００が、電子体温計１１０より送信された予測値のデータを受信し、当該受信タイミングに応じてリアルタイム表示画面に順次プロットしていく。図８のリアルタイム表示画面８３０は、実測値８２１と並行して予測値８３１が順次プロットされていく様子を示している。
【００６２】
ステップＳ７２９では、基準点（ｔ＝０）から所定時間（例えば３０秒）だけ経過した時点で、ステップＳ７２７における処理の結果算出された一定区間（例えばｔ＝２５〜３０秒）における予測値があらかじめ設定された予測成立条件を満たすかどうかをチェックする。具体的には、所定の範囲（例えば、０．１度）に収まっているか否かをチェックする。
【００６３】
ステップＳ７２９において予測成立条件を満たしたと判定された場合には、ステップＳ７３１に進む。一方、予測成立条件を満たさない場合は、ステップＳ７３０に進む。
【００６４】
ステップＳ７３０では、例えばタイマーなどで温度計測から所定時間（例えば４５秒）が経過したか否かを監視し、経過した場合には、強制的に予測を成立させ、ステップＳ７３１に進む。
【００６５】
ステップＳ７３１では、温度計測が完了したことを示す温度計測完了コマンドを送信する。なお、本実施形態に係る電子体温計１１０による体温測定の場合、予測成立条件が成立し予測値が測定結果として算出される正常終了と、予測値が測定結果として算出されないエラー終了とがあり、温度計測完了コマンドには、正常終了したかエラー終了したかを示す情報と、正常終了した場合にあっては算出された最終的な予測値が含まれることとなる。
【００６６】
携帯端末１００では、温度計測完了コマンドを受信すると、ステップＳ７０４において、電子体温計１１０が正常終了したのかエラー終了したのかを判断し、エラー終了したと判断した場合には、ステップＳ７１０に進み、リアルタイム表示画面上にエラー表示を出力し、リアルタイム測定処理を終了する。
【００６７】
一方、ステップＳ７０４において、正常終了したと判断した場合には、ステップＳ７０５に進み、電子体温計１１０より受信した測定結果としての予測値をリアルタイム表示画面に表示する。図８のリアルタイム表示画面８４０は、正常終了したと判断した場合に測定結果を表示したリアルタイム表示画面の一例を示している。図８のリアルタイム表示画面８４０において、８４１は電子体温計１１０より送信された測定結果としての予測値である。
【００６８】
更に、ステップＳ７０６では、体温測定処理が正常終了したことを表す終了ブザーを出力する。
【００６９】
電子体温計１１０において温度計測完了コマンドの送信が完了し、かつ、携帯端末１００において、エラー表示（ステップＳ７１０）または終了音の出力（ステップＳ７０６）が完了した場合には、携帯端末１００と電子体温計１１０との間の通信接続が自動的に切断される（ステップＳ７４３）。
【００７０】
電子体温計１１０では、携帯端末１００との通信接続が切断されると、一定時間経過後に、電源がＯＦＦされ（ステップＳ７３２）、電子体温計１１０におけるリアルタイム測定処理は終了する。
【００７１】
一方、携帯端末１００では、電子体温計１１０との通信接続が切断されると、ステップＳ７０７に進み、体温値・メモ入力モードに移行し、体温値・メモ入力画面を起動する。図８の８５０は、体温値・メモ入力モードに移行することにより表示された体温値・メモ入力画面の一例を示している。
【００７２】
図８の表示装置２０６における体温値・メモ入力画面８５０において、８５１は体温測定を行った日を入力する入力欄であり、リアルタイム表示モードから移行した場合には、体温測定を行った日付が自動的に記入される。また、８５２は体温測定の測定結果を入力する入力欄であり、リアルタイム表示モードから移行した場合には、測定結果としての予測値が自動的に記入される。
【００７３】
８５３は体温測定を行った被検者の体調に関する各種情報を入力するための入力欄である。図８の例では、被検者の体調に関する各種情報として、生理による出血があった日を示す情報、生理痛があった日を示す情報、性交の有無を示す情報、薬飲の有無を示す情報、発熱の有無を示す情報、おりものの有無を示す情報等が入力可能となっている。
【００７４】
体温値・メモ入力画面において各種情報の入力が完了し（図８の体温値・メモ入力画面８６０参照）、ＯＫボタン８５４が選択されると、ステップＳ７０８からステップＳ７０９に進み、体温値・メモ入力画面において入力された各種情報及び受信した測定結果としての予測値が、日付情報と関連付けて記憶装置２０４に格納される。
【００７５】
ステップＳ７０９において、各種情報及び体温データが日付情報と関連付けて記憶装置２０４に格納された後は、リアルタイム表示モードに戻るとともに、携帯端末１００におけるリアルタイム測定処理が終了する。
【００７６】
以上の説明から明らかなように、本実施形態に係る携帯端末では、
・電子体温計１１０とケーブル１２０を介して接続されたこと、
・体温データ管理アプリケーション２１１が起動され、かつ、リアルタイム表示モードに移行されたこと、
・電子体温計１１０の電源がＯＮされ、かつ、リアルタイム表示モードへ移行されたこと、
を条件に、電子体温計１１０より体温データの実測値及び予測値をリアルタイムに受信し、かつ、当該受信した実測値及び予測値をリアルタイムに表示させる構成とした。
【００７７】
これにより、ユーザは、体温測定中に、電子体温計が取得した実測値と電子体温計が算出した予測値とをリアルタイムで見ることが可能となり、電子体温計の測定状況を把握することが可能となる。
【００７８】
また、高機能女性体温計としての複雑な表示機能は、携帯端末側に持たせた構成となっているため、体温計本体の表示機能は少なくとも温度表示を行う機能だけでよくなり、この結果、測定時の興趣性の向上を、安価な方法により実現することが可能となる。
【００７９】
［第２の実施形態］
上記第１の実施形態では、電子体温計１１０において実測値の取得と予測値の算出とを行う構成としたが、本発明はこれに限定されない。例えば、電子体温計１１０では実測値の取得のみを行い、リアルタイムで送信された当該実測値に基づいて、携帯端末側にて、予測値の算出を行うように構成しても良い。以下、本実施形態の詳細について説明する。なお、体温データ測定／管理システムの構成、携帯端末の構成、電子体温計の構成、電子体温計及び携帯端末のモード遷移、ならびに携帯端末における表示画面の構成は、上記第１の実施形態と同様であるため、ここでは説明を省略し、以下では、体温データ測定／管理システムにおけるリアルタイム測定処理の流れについて説明する。図９は、本実施形態におけるリアルタイム測定処理の流れを示すフローチャートである。
【００８０】
上記第１の実施形態同様、リアルタイム測定処理を開始するにあたり、ユーザは、以下の操作を行っておくものとする。
１）携帯端末１００と電子体温計１１０とをケーブル１２０により接続する。
２）携帯端末１００において体温データ管理アプリケーション２１１を起動させて図６（Ａ）の画面を表示させた後、リアルタイム表示モードへの移行を指示する選択部６０１にカーソルを合わせて、入力装置２０５をクリックして選択入力することで、リアルタイム表示モードへ移行させる。
３）電子体温計１１０の電源をＯＮにするとともに、モード切り替えスイッチ１１３を操作することで、電子体温計１１０をリアルタイム表示モードへ移行させる。
【００８１】
上記１）〜３）の操作をユーザが実行したことを条件に、携帯端末１００ではリアルタイム表示画面（図８のリアルタイム表示画面８１０参照）が表示されるとともに（ステップＳ９０１）、携帯端末１００と電子体温計１１０との間の通信接続が確立する（ステップＳ９３１）。
【００８２】
ステップＳ９３１において、携帯端末１００と電子体温計１１０との通信接続が確立すると、ステップＳ９３２では、電子体温計１１０が自身の識別情報を携帯端末１００に送信する。これにより、携帯端末１００では、通信接続が確立した相手先の種類及び当該相手先が有する機能を把握することができる。
【００８３】
ステップＳ９３２において識別情報の送信が完了すると、電子体温計１１０では初期化処理が行われ、温度計測部３１０による温度値の検出が開始される。例えば、０．５秒おきに温度計測部３１０を用いて温度値が検出される。
【００８４】
温度値の検出が開始されると、ステップＳ９２１からステップＳ９２２に進む。ステップＳ９２２では、例えば、前回温度値（つまり０．５秒前の温度値）からの上昇が所定の値（例えば１℃）以上となる温度値を検出したことを契機として、ＲＡＭ３２６に特定タイミングと当該実測値のデータ（時系列データ）とを記憶する処理を開始する。これにより、温度計測が開始されたこととなる。このように、本実施形態に係る電子体温計１１０では、急激な温度上昇を検出することにより、被検者の所定の測定部位に電子体温計１１０が装着されたものとみなす。
【００８５】
ステップＳ９２２において温度計測が開始されると、ステップＳ９２３では、温度計測により得られた実測値のデータを、逐次、携帯端末１００に送信する。
【００８６】
ステップＳ９０２では、携帯端末１００が、電子体温計１１０より送信された実測値のデータを受信し、リアルタイム表示画面に順次プロットしていく。図８のリアルタイム表示画面８２０は、実測値が順次プロットされていく様子を示している（８２１参照）。
【００８７】
ステップＳ９０３では、受信した実測値において低下が観測されたか否かを判断する。所定の低下が観測された場合には、ステップＳ９１５に進み、所定の低下が観測されない場合には、ステップＳ９０４に進む。
【００８８】
ステップＳ９１５では、受信した実測値のデータについて補正処理を行う。補正処理が正常に行われた場合には、ステップＳ９０２に戻る。一方、補正処理が正常に行われなかった場合には、エラー終了してステップＳ９０９に進む。
【００８９】
一方、ステップＳ９０４では、ステップＳ９０２で受信した実測値のデータを用いて、周知の予測式の体温測定方法を用いて逐次予測値を算出する（例えば、０．５秒間隔で算出する）。
ステップＳ９０５では、電子体温計１１０より実測値を最初に受信した時点から所定時間（例えば１６秒）だけ経過した後、例えば、ステップＳ９０４で算出した、複数の群に対応するそれぞれの予測値の変化に基づいて群分け判定を行う。
【００９０】
ステップＳ９０６では、ステップＳ９０５によって決定された群以外の演算を停止し、判定された群における予測値を引き続き所定の時間算出する。
【００９１】
ステップＳ９０６において予測値の算出が開始されると、ステップＳ９０７では、算出された予測値のデータを、当該算出タイミングに応じてリアルタイム表示画面に逐次プロットしていく。図８のリアルタイム表示画面８３０は、実測値８２１と並行して予測値８３１が逐次プロットされていく様子を示している。
【００９２】
ステップＳ９０８では、電子体温計１１０より実測値を最初に受信した時点から所定時間（例えば３０秒）だけ経過した時点で、ステップＳ９０６における処理の結果算出された一定区間（例えばｔ＝２５〜３０秒）における予測値があらかじめ設定された予測成立条件を満たすかどうかをチェックする。具体的には、所定の範囲（例えば、０．１度）に収まっているか否かをチェックする。
【００９３】
ステップＳ９０８において予測成立条件を満たしたと判定された場合には、ステップＳ９０９に進む。一方、予測成立条件を満たさない場合は、ステップＳ９１６に進む。
【００９４】
ステップＳ９１６では、例えばタイマーなどで実測値を最初に受信した時点から所定時間（例えば４５秒）が経過したか否かを監視し、経過した場合には、強制的に予測を成立させ、ステップＳ９０９に進む。
【００９５】
ステップＳ９０９では、予測成立条件が成立し予測値が測定結果として算出された正常終了なのか、予測値が測定結果として算出されないエラー終了なのかを判断する。ステップＳ９０９において、エラー終了したと判断した場合には、ステップＳ９１７に進み、リアルタイム表示画面上にエラー表示を出力し、リアルタイム測定処理を終了する。
【００９６】
一方、ステップＳ９０９において、正常終了したと判断した場合には、ステップＳ９１０に進み、算出した測定結果としての予測値をリアルタイム表示画面に表示する。図８のリアルタイム表示画面８４０は、正常終了したと判断した場合のリアルタイム表示画面の一例を示している。図８のリアルタイム表示画面８４０において、８４１は算出した測定結果としての予測値である。
【００９７】
更に、ステップＳ９１１では、体温測定処理が正常終了したことを示す終了音を出力する。
【００９８】
携帯端末１００において、エラー表示（ステップＳ９１７）または終了音の出力（ステップＳ９１１）が完了した場合には、携帯端末１００と電子体温計１１０との間の通信接続が自動的に切断される（ステップＳ９３３）。
【００９９】
電子体温計１１０では、携帯端末１００との通信接続が切断されると、一定時間経過後に、電源がＯＦＦされ（ステップＳ９２４）、電子体温計１１０におけるリアルタイム測定処理は終了する。
【０１００】
一方、携帯端末１００では、電子体温計１１０との通信接続が切断されると、ステップＳ９１２に進み、体温値・メモ入力モードに移行し、体温値・メモ入力画面を起動する。図８の８５０は、体温値・メモ入力モードに移行することにより表示された体温値・メモ入力画面の一例を示している。
【０１０１】
図８の体温値・メモ入力画面８５０において、８５１は体温測定を行った日を入力する入力欄であり、リアルタイム表示モードから移行した場合には、体温測定を行った日付が自動的に記入される。また、８５２は体温測定の測定結果を入力する入力欄であり、リアルタイム表示モードから移行した場合には、測定結果としての予測値が自動的に記入される。
【０１０２】
８５３は体温測定を行った被検者の体調に関する各種情報を入力するための入力欄である。図８の例では、被検者の体調に関する各種情報として、生理による出血があった日を示す情報、生理痛があった日を示す情報、性交の有無を示す情報、薬飲の有無を示す情報、発熱の有無を示す情報、おりものの有無を示す情報等が入力可能となっている。
【０１０３】
体温値・メモ入力画面において各種情報の入力が完了し（図８の体温値・メモ入力画面８６０参照）、ＯＫボタン８５４が選択されると、ステップＳ９１３からステップＳ９１４に進み、体温値・メモ入力画面において入力された各種情報及び測定結果としての予測値が、日付情報と関連付けて記憶装置２０４に格納される。
【０１０４】
ステップＳ９１４において、各種情報及び体温データが日付情報と関連付けて記憶装置２０４に格納された後は、リアルタイム表示モードに戻るとともに、携帯端末１００におけるリアルタイム測定処理が終了する。
【０１０５】
以上の説明から明らかなように、本実施形態に係る携帯端末では、電子体温計１１０から実測値のみを受信し、携帯端末側において予測値の算出を行う構成とした。
【０１０６】
これにより、本実施形態では、上記第１の実施形態と同様の効果を享受しつつ、更に、電子体温計１１０における処理負荷を軽減させることが可能となった。
【０１０７】
［第３の実施形態］
上記第１の実施形態では、電子体温計１１０において実測値の取得と予測値の算出とを行う構成とし、上記第２の実施形態では、電子体温計１１０において実測値の取得を行い、携帯端末１００において予測値の算出を行う構成とした。しかしながら、本発明はこれに限定されず、予測値の算出をいずれで行うかを切り替え可能な構成としてもよい。
【０１０８】
具体的には、電子体温計１１０より送信される識別情報に基づいて、当該電子体温計が予測値を算出可能な電子体温計であるか否かを判断し、予測値を算出可能な電子体温計であった場合には、電子体温計にて予測値の算出を行い、予測値の算出が可能でない電子体温計であった場合には、携帯端末１００側で予測値の算出を行うようにしてもよい。
【０１０９】
［第４の実施形態］
上記第１〜３の実施形態では、表示部１１１を有する電子体温計１１０を用いて説明したが、電子体温計１１０の代わりに、金属キャップで覆われた温度計測部３１０、カウンタ３２２からなる測温部を用いて、ケーブル１２０を介して携帯端末１００と接続して、実測値を得るようにしてもよい。
【図１】
2011067292.tif 000003
【図２】
2011067292.tif 000004
【図３】
2011067292.tif 000005
【図４】
2011067292.tif 000006
【図５】
2011067292.tif 000007
【図６】
2011067292.tif 000008
【図７】
2011067292.tif 000009
【図８】
2011067292.tif 000010
【図９】
2011067292.tif 000011